(57)【要約】      （修正有）【課題】障子をスムーズに大きく開放させることができるようにした横すべり出し窓の開閉装置を提供する。【解決手段】障子３の上部を開閉支持具で支持し、障子の下框３ｂの左右方向の中央部と窓枠１の下枠１ｃ間にアーム伸縮枠２０を設ける。アーム伸縮枠を形成する第１アーム２１の一端部を下枠に回転自在に連結し、その第１アームと交差し、その交差部が回転自在に連結された第２アーム２２の一端部を下枠に左右方向にスライド自在に連結する。第１アームの他端部に一端部が連結された第３アーム２６と第２アームの他端部に一端部が連結された第４アーム２８の他端部を障子の下框の左右方向の中央部に連結する。下枠の上面に支持されたケース４１によりハンドル４３を回転自在に支持し、そのハンドルの回転により第２アームの一端部を左右方向に移動させて、アーム伸縮枠を伸縮させ、その伸長により下框に押出し力を負荷して障子を開放させる。【選択図】図３
2011069061.tif 000002
【特許請求の範囲】
【請求項１】
窓枠の内側に、その窓枠の開口を開閉する障子を設け、その障子の下框を屋外側に移動させつつ障子の上部を下降させて前記窓枠の開口を開放する横すべり出し窓の開閉装置において、
第１アームと第２アームの長さ方向の中央部を交差させ、その交差部を回動自在に連結したクロスアームの前記第１アームの一端部を前記窓枠の下枠に回動自在に連結し、第２アームの一端部を前記下枠の左右方向にスライド自在に連結し、前記第１アームの他端部に一端部が回動自在に連結された第３アームの他端部および第２アームの他端部に一端部が回動自在に連結された第４アームの他端部を前記障子の下框の左右方向の中央部に回動自在に連結し、前記下枠の上面に固定されたケース内に、そのケースに回転自在に支持されたハンドルの回転操作により縦中心線を中心に回動する回転板を設け、その回転板と第２アームの一端部間に、回転板の回転運動を第２アームの一端部の左右方向のスライド移動に変換する運動変換機構を設けたことを特徴とする横すべり出し窓の開閉装置。
【請求項２】
前記運動変換機構が、回転板の外周部に一端部が固定されて、回転板の径方向外方に延びる第１リンクと、その第１リンクの他端部に一端部が連結され、他端部が前記第２アームの一端部に連結された第２リンクとからなる請求項１に記載の横すべり出し窓の開閉装置。
【発明の詳細な説明】
【技術分野】
【０００１】
この発明は、横すべり出し窓の開閉装置に関する。
【背景技術】
【０００２】
横すべり出し窓においては、窓枠の内側に、その窓枠の開口を開閉する障子を設け、その障子の下框を屋外側に移動させつつ障子の上部を下降させる障子の屋外方向への揺動によって窓枠の開口を開放させるようにしている。
【０００３】
上記のような横すべり出し窓の開閉装置として特許文献１に記載されたものが従来から知られている。この開閉装置においては、窓枠の下枠に第２アームの一端部を左右方向にスライド自在に連結し、かつ、第２アームの他端部を障子の下框に左右方向にスライド自在に連結し、上記下枠の上面に取付けられたケーシングにハンドルにより回動される操作軸を設け、その操作軸により回動される第１アームの先端部を第２アームに連結し、その第１アームの回動により、第２アームの両端部を左右方向にスライドさせつつ第２アームを屋内外方向に揺動させて、障子を開閉させるようにしている。
【先行技術文献】
【特許文献】
【０００４】
【特許文献１】特開２００４−７６５４２号公報
【発明の概要】
【発明が解決しようとする課題】
【０００５】
ところで、上記従来の横すべり出し窓の開閉装置においては、第２アームの両端部を左右方向にスライドさせつつ揺動させて障子を開閉させるため、障子の開放角度を大きくとることができないという問題がある。
【０００６】
また、障子に対する第２アームの連結位置が、障子の左右方向の中央位置から障子の一端部側に片寄った位置であり、しかも、その連結が左右方向にスライド自在の連結であるため、第２アームの揺動により障子を押し引きして、その障子を開閉させる場合に、障子には、左右方向の中央位置から片寄った位置に押出し力または引張り力が負荷されることになり、障子に偏荷重が負荷されることになる。その偏荷重の負荷によって障子に捩じれが生じ、スムーズに開閉させることができないという問題がある。
【０００７】
この発明の課題は、横すべり出し窓の障子をスムーズに大きく開放させることができるようにすることである。
【課題を解決するための手段】
【０００８】
上記の課題を解決するため、この発明においては、窓枠の内側に、その窓枠の開口を開閉する障子を設け、その障子の下框を屋外側に移動させつつ障子の上部を下降させて前記窓枠の開口を開放する横すべり出し窓の開閉装置において、第１アームと第２アームの長さ方向の中央部を交差させ、その交差部を回動自在に連結したクロスアームの前記第１アームの一端部を前記窓枠の下枠に回動自在に連結し、第２アームの一端部を前記下枠の左右方向にスライド自在に連結し、前記第１アームの他端部に一端部が回動自在に連結された第３アームの他端部および第２アームの他端部に一端部が回動自在に連結された第４アームの他端部を前記障子の下框の左右方向の中央部に回動自在に連結し、前記下枠の上面に固定されたケース内に、そのケースに回転自在に支持されたハンドルの回転操作により縦中心線を中心に回動する回転板を設け、その回転板と第２アームの一端部間に、回転板の回転運動を第２アームの一端部の左右方向のスライド移動に変換する運動変換機構を設けた構成を採用したのである。
【０００９】
上記の構成からなる横すべり出し窓の開閉装置において、ハンドルを回転すると、第２アームの一端部が障子の左右方向にスライドし、その第２アームの一端部を第１アームの一端部に向けてスライドさせると、第１アーム乃至第４アームで形成されるパンタグラフ枠状のアーム伸縮枠が伸長し、障子の下枠に屋外に向けての押出し力が負荷される。その押出し力によって障子が開放する。
【００１０】
一方、第２アームの一端部を第１アームの一端部から離反する方向に向けてスライドさせると、アーム伸縮枠が収縮し、障子の下枠に屋内に向けての引張り力が負荷される。その引張り力によって障子が閉鎖する。
【００１１】
上記のような障子の開閉において、アーム伸縮枠を形成する第３アームと第４アームの他端部は障子の下框の左右方向の中央であるため、障子開放用の押出し力および障子閉鎖用の引張り力は、障子の左右方向の中央部に負荷されることになり、障子はスムーズに開閉する。
【００１２】
この発明に係る横すべり出し窓の開閉装置において、運動変換機構として、回転板の外周部に一端部が固定されて、回転板の径方向外方に延びる第１リンクと、その第１リンクの他端部に一端部が連結され、他端部が前記第２アームの一端部に連結された第２リンクとからなるものを採用することができる。
【発明の効果】
【００１３】
上記のように、この発明にかかる横すべり出し窓の開閉装置においては、第１アーム乃至第４アームによって形成されるパンタグラフ枠状のアーム伸縮枠の伸縮によって障子を開閉させるようにしたので、障子の開放角を大きくとることができる。
【００１４】
また、アーム伸縮枠の伸縮により障子の下枠の左右方向の中央部に押出し力または引張り力を負荷するようにしたので、障子に捩じれが生じることがなく、上記障子をスムーズに開閉させることができる。
【図面の簡単な説明】
【００１５】
【図１】この発明に係る横すべり出し窓の開閉装置の実施の形態を示す縦断側面図
【図２】図１の障子の開閉機構部を拡大して示す断面図
【図３】図２の平面図
【図４】障子の閉鎖状態示す横断平面図
【図５】アーム伸縮枠と障子の連結部を示す横断平面図
【図６】図５の縦断側面図
【図７】障子の開閉支持構造の他の例を示す縦断側面図
【発明を実施するための形態】
【００１６】
以下、この発明の実施の形態を図面に基づいて説明する。図１乃至図３に示すように、窓枠１は、左右一対の縦枠１ａの上部間および下部間に上枠１ｂおよび下枠１ｃを渡した方形状をなし、その内側の開口２を開閉する障子３の上部両側は左右一対の開閉支持具１０によって開閉自在に支持されている。
【００１７】
開閉支持具１０は、窓枠１の縦枠１ａの内面に固定された上下方向に長く延びる取付ベース１１の上部と障子３の縦框３ａの外面に固定した障子取付板１２の上部をショートステー１３で連結し、かつ、上記取付ベース１１の下部と障子取付板１２の下部をロングステー１４で連結した構成とされており、その開閉支持具１０による障子３の支持によって、障子３は、上部を中心にして障子下部の下框３ｂが屋外側に向けて揺動し、その揺動につれて上部が下方向に移動して、窓枠１の開口２を開放するようになっている。
【００１８】
なお、上記の開閉支持具１０による障子３の開閉支持に代えて、図７に示すように、障子３の上部を蝶番１５により支持して、その蝶番１５を中心に開閉自在としてもよい。
【００１９】
障子３の下框３ｂと窓枠１の下枠１ｃ間には、上記下框３ｂを押し引きするアーム伸縮枠２０が設けられている。
【００２０】
アーム伸縮枠２０は、第１アーム２１と第２アーム２２の長さ方向の中央部を交差させ、その交差部をピン２３によって回動自在に連結したクロスアーム２４と、上記第１アーム２１の一方の端部にピン２５を介して一端部が回動自在に連結された第３アーム２６と、第２アーム２２の一方の端部にピン２７を介して回転自在に連結された第４アーム２８と、その第４アーム２８の他端部と上記第３アーム２６の他端部の重なり部を回転自在に連結する連結ピン２９とからなる。
【００２１】
図３に示すように、第１アーム２１の他方の端部は下枠１ｃの上面に固定された第１ブラケット３０にピン３１を介して回転自在に連結されている。また、第２アーム２２の他方の端部にはガイドピン３２が設けられ、そのガイドピン３２が下枠１ｃの上面に固定された第２ブラケット３３の左右方向に長いガイド孔３４内にスライド自在に挿入されて抜止めされている。
【００２２】
図５および図６に示すように、第３アーム２６の他端部と第４アーム２８の他端部を連結する連結ピン２９の先端部は、障子３における下框３ｂの下面の左右方向の中央位置に固定された障子側ブラケット３５のピン孔３６内に余裕をもって挿入され、その先端部に形成された周溝３７に係合するＵ字形のスプリング３８によって抜止めされている。
【００２３】
アーム伸縮枠２０の上記のような取り付けによって、第２アーム２２の他方の端部に設けられたガイドピン３２を第２ブラケット３３のガイド孔３４に沿ってスライドさせることにより、アーム伸縮枠２０が伸縮し、その伸長によって下框３ｂは屋外に向けて押し出されることになる。
【００２４】
図３に示すように、窓枠１の下枠１ｃの上面には、ガイドピン３２をガイド孔３４に沿ってスライドさせる開閉操作具４０が設けられている。
【００２５】
開閉操作具４０は、下枠１ｃの上面に固定されたケース４１を有し、そのケース４１の上壁を貫通して斜め方向に延びる傾斜状のハンドル軸４２のケース外部に位置する上端部にハンドル４３を設け、上記ケース４１の内部には、ケース４１の上壁と下壁により上下端部が支持された支点軸４４を中心にして回転自在に支持された回転板４５を設け、その回転板４５の外周に上記ハンドル軸４２に形成されたねじれ歯４６に噛合するはす歯４７を設け、上記ハンドル４３の操作によって回転する回転板４５の回転運動を運動変換機構５０を介してガイドピン３２のスライド運動に変換するようにしている。
【００２６】
ここで、上記運動変換機構５０は、回転板４５の外周部に一端部が固定されて、回転板４５の径方向外方に延びる第１リンク５１の他端部に第２リンク５２の一端部を回転自在に連結し、その第２リンク５２の他端部をガイドピン３２に連結して、回転板４５の回転によりガイドピン３２をガイド孔３４に沿って移動させるようにしている。
【００２７】
実施の形態で示す横すべり出し窓の開閉装置は上記の構成からなり、図４は、障子３が窓枠１の開口２を閉鎖する状態を示す。その閉鎖状態において、ハンドル４３の回転操作により回転板４５を同図の矢印で示す方向に回転させると、支点軸４４を中心にして第１リンク５１が回転板４５と同方向に回転し、第２リンク５２に引張り力が付与され、ガイドピン３２がガイド孔３４に沿って第１ブラケット３０に接近する方向に向けて移動する。
【００２８】
ガイドピン３２の第１ブラケット３０に向けての移動により、アーム伸縮枠２０が伸長し、障子３の下框３ｂに屋外方向に向けての押込み力が負荷される。その押込み力の負荷によって、障子３が屋外側に向けて揺動して、図１及び図３に示すように、開放状態となる。
【００２９】
また、障子３の開放状態において、ハンドル４３の回転操作により回転板４５を図３の矢印で示す方向に回転させると、第１リンク５１が回転板４５と同方向に回転し、第２リンク５２に押圧力が付与され、ガイドピン３２がガイド孔３４に沿って第１ブラケット３０から離反する方向に向けて移動する。
【００３０】
ガイドピン３２の第１ブラケット３０から離反する方向に向けて移動により、アーム伸縮枠２０が収縮し、障子３の下框３ｂに屋内方向に向けての引張り力が負荷される。その引張り力の負荷により、障子３が屋内方向に向けて揺動し、図４に示すように、閉鎖状態となる。
【００３１】
上記のような障子３の開閉において、アーム伸縮枠２０を形成する第３アーム２６と第４アーム２８の他端部は障子３の下框３ｂの左右方向の中央に連結されているため、障子３を開放させる押出し力および障子３を閉鎖させる引張り力は、障子３の左右方向の中央部に負荷されることになる。このため、障子３にねじれが生じることはなく、障子３はスムーズに開閉することになる。
【００３２】
実施の形態で示すように、アーム伸縮枠２０の伸縮によって障子３を開閉させるようにすることにより、前述従来のように、単一の第２アームの揺動によって障子を開閉させるようにした開閉装置に比較して、障子３の開放角度を大きくとることができる。
【００３３】
ここで、図４に示すように、ケース４１内に外部から回動操作可能なロック軸６０を設け、そのロック軸６０のケース４１の内部に位置する外周部に、円筒状のロック用カム面６１と、回転板４５の外径面の外径よりやや大きい径の凹入状の回転許容用のカム面６２とを形成し、一方、回転板４５の外周には、ロック用カム面６１と係合可能な切欠部６３を設け、上記障子３を閉鎖状態とした時、切欠部６３がロック軸６０と対向するようにしておくことにより、ロック用カム面６１を切欠部６３に係合させることにより、回転板４５を回り止めすることができ、障子３を閉鎖状態でロックすることができる。
【符号の説明】
【００３４】
１    窓枠
１ｃ  下枠
３    障子
３ｂ  下框
２１  第１アーム
２２  第２アーム
２４  クロスアーム
２６  第３アーム
２８  第４アーム
４１  ケース
４５  回転板
５０  運動変換機構
５１  第１リンク
５２  第２リンク
【図１】
2011069061.tif 000003
【図２】
2011069061.tif 000004
【図３】
2011069061.tif 000005
【図４】
2011069061.tif 000006
【図５】
2011069061.tif 000007
【図６】
2011069061.tif 000008
【図７】
2011069061.tif 000009